(57)【要約】【課題】使用する照明用ランプを、長尺状の蛍光ランプからその蛍光ランプより小径である長尺状の照明用ランプに変更する場合、その変更作業を手間と時間とをかけずに容易に行う。【解決手段】ショーケース１の照明装置１６は、ショーケース本体４に取り付けられ、長尺状の蛍光ランプが着脱可能に嵌合されるＣ型リング形状のホールド部２０を有する少なくとも一対のランプホルダ１７と、蛍光ランプが取り外されたホールド部２０の内側に着脱可能に取り付けられ、蛍光ランプより小径である長尺状の照明用ランプ１８が嵌合される嵌合凹部２１を有する軟質性樹脂により形成されたアタッチメント１９と、を備える。【選択図】図４
2014087393.tif 000002
【特許請求の範囲】
【請求項１】
ショーケース本体に取り付けられ、長尺状の蛍光ランプが着脱可能に嵌合されるＣ型リング形状のホールド部を有する少なくとも一対のランプホルダと、
前記蛍光ランプが取り外された前記ホールド部の内側に着脱可能に取り付けられ、前記蛍光ランプより小径である長尺状の照明用ランプが嵌合される嵌合凹部を有する軟質性樹脂により形成されたアタッチメントと、
を備えることを特徴とするショーケースの照明装置。
【請求項２】
前記アタッチメントにおける前記嵌合凹部に嵌合された前記照明用ランプの長手方向に沿った幅寸法は、前記ホールド部におけるこのホールド部に嵌合された前記蛍光ランプの長手方向に沿った幅寸法より大きく形成され、前記アタッチメントの幅方向の両側に前記ホールド部の内径寸法より大きい寸法を有して立ち上がった立ち上り部が形成されていることを特徴とする請求項１記載のショーケースの照明装置。
【請求項３】
前記ホールド部の内周部に凹部が形成され、前記アタッチメントの外周部に前記凹部に係合する凸部が形成されていることを特徴とする請求項１又は２記載のショーケースの照明装置。
【請求項４】
前記アタッチメントは、透光性を有することを特徴とする請求項１ないし３のいずれか１項に記載のショーケースの照明装置。
【発明の詳細な説明】
【技術分野】
【０００１】
本発明は、ショーケース内に陳列されている商品を照明するショーケースの照明装置に関する。
【背景技術】
【０００２】
スーパーマーケットやコンビニエンスストアなどの各種店舗では、販売する商品を陳列するショーケースが用いられており、このようなショーケースには、陳列されている商品を照明するための照明装置が設けられている。
【０００３】
ショーケースの照明装置においては、照明用のランプとして長尺状の蛍光ランプや、長尺状のＬＥＤランプが使用されている。長尺状のＬＥＤランプとしては、長尺状の基台上にこの基台の長手方向に沿って複数のＬＥＤを直線状に配列したライン型ＬＥＤランプ、長尺状の基台上にこの基台の長手方向に沿って複数のＬＥＤを直線状に配列するとともにこれらの基台とＬＥＤとを円筒状の筐体で覆った直管型ＬＥＤランプが知られている。
【０００４】
長尺状の蛍光ランプと長尺状のＬＥＤランプとの光の照射角度を比較すると、蛍光ランプはランプの長手方向の中心から３６０°の範囲であるのに対し、ライン型ＬＥＤランプはランプの長手方向の中心から６０〜８０°の範囲、直管型ＬＥＤランプはランプの長手方向の中心から１５０〜２２０°の範囲である。
【０００５】
このため、照明用のランプとして蛍光ランプを使用する場合には、蛍光ランプをランプの長手方向の中心回りのどの位置に取り付けてもよいが、照明用のランプとしてＬＥＤランプを使用する場合には、光の照射方向が商品に向く位置でＬＥＤランプを位置固定する必要がある。
【０００６】
ところで、ショーケースの照明装置において照明用のランプとして大径の蛍光ランプ（通称、Ｔ１０管と呼ばれている。）を使用している場合、その蛍光ランプを小径の蛍光ランプ（通称、Ｔ８管と呼ばれている。）や、ＬＥＤランプに変更する場合がある。Ｔ８管やＬＥＤランプは、Ｔ１０管に比べて小径であるとともに、消費電力や発熱量が少ないという特徴を有する。
【０００７】
下記特許文献１には、ショーケースの照明装置において使用される照明用のランプを、長尺状の蛍光ランプから長尺状の直管型ＬＥＤランプに変更する技術が開示されている。この変更に際しては、蛍光ランプを保持していた蛍光ランプ用のランプホルダをショーケース本体から取り外し、その後に直管型ＬＥＤランプを保持するＬＥＤランプ用のランプホルダをショーケース本体に取り付けている。
【先行技術文献】
【特許文献】
【０００８】
【特許文献１】特開２０１０-１５８３３７号公報
【発明の概要】
【発明が解決しようとする課題】
【０００９】
しかしながら、ショーケース本体に取り付けられたランプホルダは一般にネジ止めされている。このため、ショーケース本体から蛍光ランプ用のランプホルダを取外し、その後にショーケース本体にＬＥＤランプ用のランプホルダを取付ける作業は、手間と時間とがかかっている。
【００１０】
また、ショーケース本体から蛍光ランプ用のランプホルダを取外してＬＥＤランプ用のランプホルダを取付けた場合、取外した蛍光ランプ用のランプホルダは不要物として廃棄されることになり、廃棄物が発生する。
【００１１】
本発明は、このような課題を解決するためになされたものであり、その目的は、使用する照明用ランプを、長尺状の蛍光ランプからその蛍光ランプより小径である長尺状の照明用ランプに変更する場合、その変更作業を手間と時間とをかけずに容易に行うことができ、しかも、変更した照明用ランプを安定して保持することができるショーケースの照明装置を提供することである。
【課題を解決するための手段】
【００１２】
本発明に係るショーケースの照明装置は、ショーケース本体に取り付けられ、長尺状の蛍光ランプが着脱可能に嵌合されるＣ型リング形状のホールド部を有する少なくとも一対のランプホルダと、前記蛍光ランプが取り外された前記ホールド部の内側に着脱可能に取り付けられ、前記蛍光ランプより小径である長尺状の照明用ランプが嵌合される嵌合凹部を有する軟質性樹脂により形成されたアタッチメントと、を備えることを特徴とする。
【００１３】
また、前述の本発明に係るショーケースの照明装置において、前記アタッチメントにおける前記嵌合凹部に嵌合された前記照明用ランプの長手方向に沿った幅寸法は、前記ホールド部におけるこのホールド部に嵌合された前記蛍光ランプの長手方向に沿った幅寸法より大きく形成され、前記アタッチメントの幅方向の両側に前記ホールド部の内径寸法より大きい寸法を有して立ち上がった立ち上り部が形成されていることが望ましい。
【００１４】
また、前述の本発明に係るショーケースの照明装置において、前記ホールド部の内周部に凹部が形成され、前記アタッチメントの外周部に前記凹部に係合する凸部が形成されていることが望ましい。
【００１５】
また、前述の本発明に係るショーケースの照明装置において、前記アタッチメントは、透光性を有することが望ましい。
【発明の効果】
【００１６】
本発明に係るショーケースの照明装置によれば、ランプホルダに保持されている長尺状の蛍光ランプをこの蛍光ランプより小径である長尺状の照明用ランプに変更する場合には、ランプホルダのホールド部から蛍光ランプを取外し、ホールド部の内側にアタッチメントを取り付け、アタッチメントの嵌合凹部に照明用ランプを嵌合させる。このため、照明装置で使用するランプを蛍光ランプからこの蛍光ランプより小径の照明用ランプに変更した場合、ランプホルダをショーケース本体から取外すことなく引き続き使用することができ、ランプホルダをショーケース本体から取外したり小径の照明用ランプを保持するための別のランプホルダをショーケース本体に取り付けたりする手間と時間とを省くことができる。また、アタッチメントは軟質性樹脂により形成されているため、照明用ランプをアタッチメントの嵌合凹部が嵌合させることにより、このアタッチメントによって外部から照明用ランプへ伝わる振動を緩和することができ、照明用ランプを安定して保持することができる。
【００１７】
また、アタッチメントの幅寸法がホールド部の幅寸法より大きく形成され、アタッチメントの幅方向の両側にホールド部の内径寸法より大きい寸法に立ち上がった立ち上がり部が形成されている。このため、ホールド部に取り付けられたアタッチメントの幅方向への動きは、立ち上がり部がホールド部の縁部に当接することにより規制され、アタッチメントがホールド部から脱落することを防止することができ、照明用ランプを安定して保持することができる。
【００１８】
また、アタッチメントをホールド部の内側に取り付けた場合、アタッチメントの外周部に形成された凸部がホールド部の内周部に形成された凹部に係合することにより、ホールド部に取り付けられたアタッチメントを回り止めすることができ、照明用ランプとして光の照射方向の制約があるＬＥＤランプを使用した場合において、ＬＥＤランプからの光の照射方向を照明したい商品に向けて安定させることができる。
【００１９】
また、アタッチメントが透光性を有するため、照明用ランプから照射された光がアタッチメントに遮られず、ショーケース本体内にアタッチメントの影ができることを防止することができる。
【図面の簡単な説明】
【００２０】
【図１】本発明の第１の実施形態のショーケースを示す断面側面図である。
【図２】ライン型ＬＥＤランプを使用した照明装置のショーケース本体への取り付け状態を示す平面図である。
【図３】大径の照明ランプを使用した照明装置のショーケース本体への取り付け状態を示す平面図である。
【図４】ライン型ＬＥＤランプを使用した照明装置を拡大して示す平面図である。
【図５】ライン型ＬＥＤランプ用のアタッチメントを拡大して示す側面図である。
【図６】本発明の第２の実施形態における、直管型ＬＥＤランプを使用した照明装置を拡大して示す平面図である。
【発明を実施するための形態】
【００２１】
（第１の実施形態）
本発明の第１の実施形態のショーケースの照明装置について、図１ないし図５に基づいて説明する。第１の実施形態に係るショーケース１は、図１に示すように、前面に開口２が形成されてこの開口２にガラス扉３が開閉可能に取り付けられたショーケース本体４を備えている。ガラス扉３には、このガラス扉３を開閉する場合に把持する扉取手５が設けられている。
【００２２】
ショーケース本体４は、外周側が断熱壁６により囲まれ、この断熱壁６の内側に区画壁７が設けられ、区画壁７の内側に商品が陳列される商品陳列室８が形成されている。商品陳列室８内には、上下方向に複数段の商品陳列棚９が配列されている。
【００２３】
断熱壁６と区画壁７との間にはダクト１０が形成され、このダクト１０内には、送風ファン１１や冷却器１２等の機器が収容されている。ダクト１０の上部には、冷却器１２により冷却されてダクト１０内を流れた冷気が商品陳列室８内に向けて吹出す吹出口１３が形成され、ダクト１０の下部には商品陳列室８内の冷気をダクト１０内に吸込む吸込口１４が形成されている。
【００２４】
ショーケース本体４の開口２には、上下方向に延出した支柱１５が設けられ、この支柱１５には、商品陳列室８内を照明する照明装置１６が取り付けられている。
【００２５】
照明装置１６は、支柱１５の上端側と下端側とにネジ止めされた一対のランプホルダ１７を有し、このランプホルダ１７により上下方向に延出する向きに配置された照明用ランプであるライン型ＬＥＤランプ１８が保持されている。
【００２６】
図２は、照明装置１６をショーケース本体４の支柱１５に取り付けた状態を示している。照明装置１６は、ランプホルダ１７とアタッチメント１９とライン型ＬＥＤランプ１８とを備え、ランプホルダ１７が支柱１５にネジ止めされている。ランプホルダ１７はＣ型リング形状に形成されたホールド部２０を有し、このホールド部２０の内側にアタッチメント１９が着脱可能に取り付けられている。アタッチメント１９には嵌合凹部２１が形成され、この嵌合凹部２１にライン型ＬＥＤランプ１８が嵌合されている。支柱１５には、ガラス扉３を閉止した場合にガラス扉３の開放側先端部が当接することにより商品陳列室８を密閉状態とするための戸当たり部材２２が取り付けられている。
【００２７】
図３は、照明装置１６においてライン型ＬＥＤランプ１８より大径である蛍光ランプ（Ｔ１０管）２３を用い、その照明装置１６をショーケース本体４の支柱１５に取り付けた状態を示している。この照明装置１６は、ランプホルダ１７が支柱１５にネジ止めされ、ランプホルダ１７のホールド部２０に蛍光ランプ２３が嵌合され、このランプホルダ１７により上下方向に延出する向きに配置された蛍光ランプ２３が保持されている。３はガラス扉、５は扉取手である。
【００２８】
図４は、ライン型ＬＥＤランプ１８を使用した照明装置１６を拡大して示す平面図である。照明装置１６は上述したように、ホールド部２０を有するランプホルダ１７と、嵌合凹部２１が形成されたアタッチメント１９と、ライン型ＬＥＤランプ１８とを備えている。
【００２９】
ランプホルダ１７はプラスチックス等の樹脂により形成され、ホールド部２０は拡径方向及び縮径方向に変形可能であり、ホールド部２０が拡径方向に変形した場合にはホールド部２０に縮径方向に変形する向きの力が発生する。
【００３０】
アタッチメント１９は、シリコンやエラストマー、ゴム等であって透光性を有する軟質性樹脂により形成されている。アタッチメント１９に形成されてライン型ＬＥＤランプ１８が嵌合される嵌合凹部２１は、ライン型ＬＥＤランプ１８の外周形状に倣った角型に形成されている。
【００３１】
ライン型ＬＥＤ１８は、Ｖ字形の反射面２４を有する長尺状の基台２５と、反射面２４の間に配置されるとともに基台２５上にこの基台２５の長手方向に沿って直線状に配列された複数のＬＥＤ２６とを有している。
【００３２】
ホールド部２０の内周部に凹部２７が形成され、アタッチメント１９の外周部に凸部２８が形成され、凸部２８が凹部２７に係合されている。凹部２７は、ランプホルダ１７を支柱１５にネジ止めした場合にネジがランプに干渉しないように形成された部分である。
【００３３】
図５は、アタッチメント１９を拡大して示す側面図である。この図５に示すように、アタッチメント１９における嵌合凹部２１に嵌合されたライン型ＬＥＤランプ１８（図２、図４参照）の長手方向（矢印Ｘ方向）に沿った幅寸法“Ｌ１”は、ホールド部２０におけるこのホールド部２０に嵌合された蛍光ランプ２３（図３参照）の長手方向（矢印Ｘ方向）に沿った幅寸法“Ｌ２”より大きく形成されている。さらに、アタッチメント１９の幅方向の両側には、ホールド部２０の内径寸法“Ｌ３”より大きい寸法を有して立ち上がった立ち上り部２９が形成されている。
【００３４】
このような構成において、ショーケース１の照明装置１６において、大径の蛍光ランプ２３を使用している場合、その蛍光ランプ２３は図３に示すようにランプホルダ１７のホールド部２０に嵌合されてランプホルダ１７により保持されている。
【００３５】
この蛍光ランプ２３を、蛍光ランプ２３より小径であるライン型ＬＥＤランプ１８に変更する場合には、蛍光ランプ２３をランプホルダ１７のホールド部２０から取り外し、図２及び図４に示すように、ホールド部２０の内側にアタッチメント１９を取り付け、アタッチメント１９の嵌合凹部２１にライン型ＬＥＤランプ１８を嵌合させる。このため、照明装置１６において使用するランプを蛍光ランプ２３からこの蛍光ランプ２３より小径のライン型ＬＥＤランプ１８に変更する場合、蛍光ランプ２３を保持していたランプホルダ１７をショーケース本体４の支柱１５から取り外すことなく、ライン型ＬＥＤランプ１８を保持するランプホルダ１７として引き続き使用することができる。
【００３６】
したがって、照明装置のランプを蛍光ランプ２３からライン型ＬＥＤランプ１８へ変更する場合、ランプホルダ１７を取り外して新たなランプホルダを取り付ける必要が無く、蛍光ランプ２３からライン型ＬＥＤランプ１８へ変更する作業を手間と時間とをかけずに容易に行うことができる。そして、このランプを変更する作業中におけるショーケース本体４内の温度低下を抑制することができる。また、ランプホルダ１７を引き続き使用するため、使用するランプを蛍光ランプ２３からライン型ＬＥＤランプ１８へ変更した場合に、ランプホルダ１７を廃棄する必要がない。
【００３７】
ホールド部２０から蛍光ランプ２３を取外す作業、ホールド部２０にアタッチメント１９を取り付ける作業は、樹脂により形成されて拡径方向に変形可能であるホールド部２０を拡径方向に変形させることにより容易に行うことができる。
【００３８】
さらに、嵌合凹部２１にライン型ＬＥＤランプ１８を嵌合させる作業は、軟質性樹脂により形成されたアタッチメント１９を嵌合凹部２１が拡径する方向に変形させるとともにホールド部２０を拡径する方向に変形させることにより容易に行うことができる。
【００３９】
ガラス扉３の開閉時、特に閉止時にはショーケース本体４に振動が発生するが、ランプホルダ１７とライン型ＬＥＤランプ１８との間には軟質性樹脂により形成されたアタッチメント１９が介装されているため、ショーケース本体４で発生した振動がライン型ＬＥＤランプ１８に伝わることを緩和することができ、ライン型ＬＥＤランプ１８を安定して保持することができる。このため、ショーケース本体４で発生した振動がライン型ＬＥＤランプ１８に伝わり、その振動の影響によりライン型ＬＥＤランプ１８が故障したり、ランプホルダ１７から外れて落下したりすることを防止することができる。
【００４０】
また、図４に示すように、アタッチメント１９をホールド部２０の内側に取り付けた場合、アタッチメント１９の凸部２８がホールド部２０の凹部２７に係合することにより、ホールド部２０に取り付けられたアタッチメント１９を回り止めすることができる。そして、アタッチメント１９の嵌合凹部２１に嵌合されているライン型ＬＥＤランプ１８からの光の照射方向を、商品陳列棚９に陳列されている商品に向けて安定させることができる。
【００４１】
また、図５に示すように、アタッチメント１９の幅方向の両側にホールド部２０の内径寸法“Ｌ３”より大きい寸法を有して立ち上がった立ち上がり部２９が形成されている。このため、ホールド部２０の内側に取り付けられたアタッチメント１９の幅方向への動きは、立ち上がり部２９がホールド部２０の縁部に当接することにより規制され、アタッチメント１９がホールド部２０から脱落することを防止することができ、ライン型ＬＥＤランプ１８を安定して保持することができる。
【００４２】
また、アタッチメント１９が透光性を有するため、ライン型ＬＥＤランプ１８から照射された光がアタッチメント１９に遮られず、ショーケース本体４内にアタッチメント１９の影ができることを防止することができる。
【００４３】
（第２の実施形態）
本発明の第２の実施形態のショーケースの照明装置について、図６に基づいて説明する。なお、図１ないし図５において説明した構成要素と同じ構成要素には同じ符号を付け、重複する説明は省略する。
【００４４】
第２の実施形態の基本的構成は第１の実施形態と同じであり、第２の実施形態と第１の実施形態との異なる点は、第１の実施形態で説明したライン型ＬＥＤランプ１８に代えて、第２の実施形態の照明装置１６ａでは直管型ＬＥＤランプ３０を使用した点である。直管型ＬＥＤランプ３０は、長尺状の基台（図示せず）上にこの基台の長手方向に沿って複数のＬＥＤ（図示せず）が直線状に配列されるとともにこれらの基台とＬＥＤとが透光性を有する円筒状の筐体３１で覆われている。
【００４５】
この照明装置１６ａは図６に示すように、ランプホルダ１７のホールド部２０の内側にアタッチメント１９ａが取り付けられ、アタッチメント１９ａの中央部に嵌合凹部２１ａが形成されている。この嵌合凹部２１ａは、直管型ＬＥＤランプ３０の外周形状に倣った円形に形成されている。アタッチメント１９ａは、透光性を有する軟質性樹脂により形成されている。
【００４６】
また、アタッチメント１９ａの幅方向の両側には、図５において説明した構成と同じ構成の立ち上がり部２９が形成されている。また、ランプホルダ１７のホールド部２０の内周部に凹部２７が形成され、アタッチメント１９ａの外周部に凹部２７に係合される凸部２８が形成されている。
【００４７】
この第２の実施形態によれば、蛍光ランプ２３から変更するＬＥＤランプがライン型ＬＥＤランプ１８から直管型ＬＥＤランプ３０に代わった場合でも、第１の実施形態と同様の効果を得ることができる。
【００４８】
なお、第１、第２の実施形態では、大径の蛍光ランプ（Ｔ１０管）２３から小径の照明用ランプとしてライン型ＬＥＤランプ１８又は直管型ＬＥＤランプ３０に変更する場合を例に挙げて説明したが、大径の蛍光ランプ２３から小径の蛍光ランプ（Ｔ８管）に変更する場合にも本発明を適用することができる。
【００４９】
なお、本発明は、前述の実施形態に限るものではなく、その要旨を逸脱しない範囲において種々変更可能である。例えば、前述の実施形態に示される全構成要素から幾つかの構成要素を削除してもよく、さらに、異なる実施形態に亘る構成要素を適宜組み合わせてもよい。
【符号の説明】
【００５０】
１      ショーケース
２      開口
３      ガラス扉
４      ショーケース本体
５      扉取手
６      断熱壁
７      区画壁
８      商品陳列室
９      商品陳列棚
１０      ダクト
１１      送風ファン
１２      冷却器
１３      吹出口
１４      吸込口
１５      支柱
１６      照明装置
１６ａ    照明装置
１７      ランプホルダ
１８      ライン型ＬＥＤランプ（照明用ランプ）
１９      アタッチメント
１９ａ    アタッチメント
２０      ホールド部
２１      嵌合凹部
２１ａ    嵌合凹部
２２      戸当たり部材
２３      蛍光ランプ
２４      反射面
２５      基台
２６      ＬＥＤ
２７      凹部
２８      凸部
２９      立ち上がり部
３０      直管型ＬＥＤランプ（照明用ランプ）
３１      筐体
【図１】
2014087393.tif 000003
【図２】
2014087393.tif 000004
【図３】
2014087393.tif 000005
【図４】
2014087393.tif 000006
【図５】
2014087393.tif 000007
【図６】
2014087393.tif 000008